(57)【要約】      （修正有）【課題】集合型メディアコンバータにおいて、メディアコンバータモジュールの構成を簡単にすることを課題とする。【解決手段】キャビネット３０は、導電性樹脂のガイドレール溝３５ａ、３６ａがグランドと電気的に接続してある。メディアコンバータモジュール４０のプリント基板４１は縁４２Ｚ１、４２Ｚ２に沿って、グランドパターンの端の部分が露出した部分である、帯状グランドパターン露出部を有する。メディアコンバータモジュール４０がキャビネット３０に挿入されると、グランドパターン５０は帯状グランドパターン露出部、ガイドレール溝３５ａ、３６ａ、キャビネット３０を介してグランド電位とされる。グランドパターン５０がグランド電位とされた状態で、電気コネクタ８０が電気コネクタ１１０に接続される。【選択図】図１
2006278559.tif 000002
【特許請求の範囲】
【請求項１】
回路基板と金属製のフロントパネルとを有する回路基板モジュールと、
前記回路基板モジュールの回路基板の縁を案内するガイドレール溝とを有する通信機器において、
前記ガイドレール溝がグランドと電気的に接続され、
前記回路基板モジュールの前記回路基板は、前記ガイドレール溝に嵌合する縁部に、グランドパターンの一部が露出した帯状のグランドパターン露出部を有し、
前記回路基板モジュールが前記通信機器本体に挿入されると、前記帯状グランドパターン露出部が前記ガイドレール溝を介して前記グランドと電気的に接続される構成としたことを特徴とする通信機器。
【請求項２】
請求項１に記載の通信機器において、
前記帯状グランドパターン露出部は、前記回路基板モジュールの前記回路基板のうち挿入方向の先端にまで存在している構成としたことを特徴とする通信機器。
【請求項３】
請求項１又は請求項２に記載の通信機器において、
前記回路基板モジュールの前記回路基板は、その上縁部分と下縁部分とに、前記帯状グランドパターン露出部を有する構成としたことを特徴とする通信機器。
【請求項４】
請求項１乃至請求項３のうちいずれか一項記載の通信機器において、
前記回路基板モジュールの前記回路基板は、その両面に、前記帯状グランドパターン露出部を有する構成としたことを特徴とする通信機器。
【請求項５】
請求項１乃至請求項４のうちいずれか一項記載の通信機器において、
前記ガイドレール溝は、導電性合成樹脂製のガイドレール溝板部材に形成してある構成としたことを特徴とする通信機器。
【発明の詳細な説明】
【技術分野】
【０００１】
本発明は通信機器に係り、特に集合型メディアコンバータに関する。
【背景技術】
【０００２】
光ファイバーを利用している通信システムが普及しつつある。この通信システムは、局舎内に集合型メディアコンバータが設置される。この集合型メディアコンバータは、キャビネット内にメディアコンバータモジュールが多数並んで装着されている構造であり、ラックに取り付けられている。各メディアコンバータモジュールは、キャビネットの前面から挿入されて装着されており、保守等において、個々に抜いて取外すことが可能である構成である。一つのメディアコンバータモジュールが一つの家庭に対応し、各メディアコンバータモジュールから、光ファイバーが家庭まで延びている。各メディアコンバータモジュールの保守は、集合型メディアコンバータの電源がオンの状態で行われる。
【０００３】
よって、集合型メディアコンバータ及びメディアコンバータモジュールは、保守等の作業時に不都合が起きない構成であることが必要である。
【０００４】
図１０は従来のメディアコンバータモジュール１を示す。メディアコンバータモジュール１はプリント基板２が金属板製のカバー３で覆われており、且つ、プリント基板２の先端にコネクタ４を有する構成である。金属板製のカバー３はプリント基板２のグランドパターンと電気的に接続してある。
【０００５】
キャビネット１０は、金属板のプレス加工品であるガイドレール部材１１、１２を有し、且つ、奥部に、バックボード１４が設けてあり、バックボード１４にコネクタ１５が取り付けてある。
【０００６】
このメディアコンバータモジュール１は、キャビネット１０の金属板のプレス加工品であるガイドレール部材１１、１２によって案内されて、キャビネット１０内に挿入されて、コネクタ４がコネクタ１５と接続されて、装着されている。
【０００７】
メディアコンバータモジュール１がキャビネット１０内に挿入されて装着されるときに、先ず、金属板製のカバー３、ガイドレール部材１１、１２を介して、グランドパターンがグランド電位とされ、その後に、コネクタ４がコネクタ１５と接続される。
【特許文献１】特開２００４−２７９９６０号公報
【発明の開示】
【発明が解決しようとする課題】
【０００８】
従来のメディアコンバータモジュール１は、プリント基板２の他に金属板製カバー３を有する構成であるため、コスト高であった。
【０００９】
そこで、本発明は、上記課題を解決した通信機器を提供することを目的とする。
【課題を解決するための手段】
【００１０】
本発明は、回路基板と金属製のフロントパネルとを有する回路基板モジュールと、
前記回路基板モジュールの回路基板の縁を案内するガイドレール溝とを有する通信機器において、
前記ガイドレール溝がグランドと電気的に接続され、
前記回路基板モジュールの前記回路基板は、前記ガイドレール溝に嵌合する縁部に、グランドパターンの一部が露出した帯状のグランドパターン露出部を有し、
前記回路基板モジュールが前記通信機器本体に挿入されると、前記帯状グランドパターン露出部が前記ガイドレール溝を介して前記グランドと電気的に接続される構成としたことを特徴とする。
【００１１】
回路基板と金属製のフロントパネルとを有する回路基板モジュールと、
前記回路基板モジュールの回路基板の縁を案内するガイドレール溝とを有する通信機器において、
前記ガイドレール溝がグランドと電気的に接続され、
前記回路基板モジュールの前記回路基板は、前記ガイドレール溝に嵌合する縁部に、グランドパターンの一部が露出した帯状のグランドパターン露出部を有し、
前記回路基板モジュールが前記通信機器本体に挿入されると、前記帯状グランドパターン露出部が前記ガイドレール溝を介して前記グランドと電気的に接続される構成としたことを特徴とする。
【発明の効果】
【００１２】
本発明によれば、回路基板モジュールは、金属板製カバーが不要となって、簡単な構造となる。
【発明を実施するための最良の形態】
【００１３】
次に本発明の実施の形態について説明する。
【実施例１】
【００１４】
図１はメディアコンバータモジュール４０とキャビネット３０とを対向させて示す。図２はメディアコンバータモジュール４０をＸ２側から見て示す。Ｘ１−Ｘ２は複数のメディアコンバータモジュール４０が並んでいる方向、Ｙ１−Ｙ２はメディアコンバータモジュール４０の挿入抜去の方向及び集合型メディアコンバータ２０の奥行き方向、Ｚ１−Ｚ２は集合型メディアコンバータ２０の高さ方向である。
【００１５】
図３（Ａ）、（Ｂ）、（Ｃ）は集合型メディアコンバータ２０を示す。図４は図３（Ｂ）中の一部を拡大して示し、図５は図３（Ａ）中の一部を拡大して示す。図６はメディアコンバータモジュール４０のキャビネット３０への装着動作を示す。図７は図６（Ｄ）の一部を拡大して示す。図８は図７中、VIII-VIII線に沿う拡大断面である。
［メディアコンバータモジュール４０］
先ず、主に図１及び図２を参照して、メディアコンバータモジュール４０について説明する。メディアコンバータモジュール４０は、プリント基板４１上に光コネクタ付きの光電変換装置７０、ＬＡＮコネクタ７５、電気コネクタ８０等が実装してあり、Ｙ２側にフロントパネル９０を有する構成である。従来は設けられていた金属製のカバーは設けられていない。
【００１６】
プリント基板４１はＺ１側の上縁４２Ｚ１、Ｚ２側の下縁４２Ｚ２、Ｙ１側の縁４２Ｙ１，Ｙ２側の縁４２Ｙ２を有する。
【００１７】
また、プリント基板４１は、両面に、配線パターン（図示せず）と、面状のグランドパターン５０、５１とをする。グランドパターン５０、５１は、プリント基板４１のＸ１側の面４３Ｘ１及びＸ２側の面４３Ｘ２の全面に、配線パターン以外の部分を占めるように、例えば隣り合う配線パターンの部分を占めるようにして形成してあり、且つ、スルーホールでもって電気的に接続してある。図８に示すように、グランドパターン５０、５１及び回路パターン（図示せず）は、絶縁性の半田レジスト膜７２，７３でもって覆われている。
【００１８】
再度、図８に示すように、絶縁保護膜７２，７３は、プリント基板４１の上縁４２Ｚ１及び下縁４２Ｚ２に沿う部分を除いて形成してあり、グランドパターン５０、５１のうちプリント基板４１の上縁４２Ｚ１及び下縁４２Ｚ２に沿う端の部分は露出している。よって、この露出した部分によって、図１及び図２に示すように、プリント基板４１の上縁４２Ｚ１及び下縁４２Ｚ２に沿う部分の両面には、帯状のグランドパターン露出部５０Ｚ１、５０Ｚ２、５１Ｚ１、５１Ｚ２が、Ｙ１−Ｙ２方向の全長に亘って形成してある。Ｙ１方向についてみると、帯状のグランドパターン露出部５０Ｚ１、５０Ｚ２、５１Ｚ１、５１Ｚ２は、縁４２Ｙ１にまで延在している。
【００１９】
フロントパネル９０は、金属製であり、Ｙ１側に突き出ているラグ部９１，９２が帯状グランドパターン露出部５１Ｚ１、５１Ｚ２に押し付けられてネジ９３，９４でもってプリント基板４１に固定してある。よって、フロントパネル９０は、帯状グランドパターン露出部５１Ｚ１、５１Ｚ２と電気的に接続してある。
【００２０】
電気コネクタ８０は、図１に拡大して示すように、電気絶縁性合成樹脂製のベース部８１と、ベース部８１の両側から延びているカンチレバー部８２、８３の先端の間に支持されている電気絶縁性合成樹脂製の本体部８５と、複数のＬ字形状のコンタクト部材８９とを有する。コンタクト部材８９は、本体部８５とベース部８１とにまたがって組み込んであり、一端のコンタクト部８９ａは本体部８５からＹ１方向に突き出ており、他端のコンタクト部８９ｂがベース部８１からＺ１方向に突き出ている。
【００２１】
この電気コネクタ８０は、ベース部８１をプリント基板４１の面４３Ｘ２上に固定されて、コンタクト部８９ｂをプリント基板４１のスルーホールに半田付けされて実装してある。カンチレバー部８２、８３及びコンタクト部材８９の途中の部分が弾性変形することによって、本体部８５は、Ｘ，Ｙ，Ｚ方向に約１ｍｍの範囲で変位することが可能である。
【００２２】
本体部８５は、Ｚ１側とＺ２側とに、Ｙ１方向に突き出た腕部８６，８７とを有する。腕部８６，８７の間が空間８８となっている。また、腕部８６，８７の対向する面側に、ガイドレール８６ａ，８７ａを有する。また、腕部８６，８７の先端の内側には、外側にテーパ状に拡がるテーパ部８６ｂ，８７ｂを有する。
［キャビネット３０］
次にキャビネット３０について説明する。
【００２３】
図３（Ａ）、（Ｂ）、（Ｃ）に示すように、キャビネット３０は、高さの低い直方体形状であり、前面が開口３１ａである箱形状のシャーシ３１と、Ｚ１側の支持板３２と、Ｚ２側の支持板３３と、中央の支持板３４とを有し、支持板３２の下面に導電性合成樹脂製のガイドレール溝板部材３５がネジ止めしてあり、支持板３３の上面に導電性合成樹脂製のガイドレール溝板部材３６がネジ止めしてあり、支持板３４のＹ２側の面にバックボード３７がネジ止めしてあり、支持板３４よりＹ１側の部分に、トランス３８と直流電源３９が設けてあり、電源コード１００が延びている構成である。電源コード１００の端にプラグ１０１が設けてある。
【００２４】
図４に示すように、支持板３２、３３は、Ｙ２端側に、折り曲げ部３２ａ、３３ａを有し、各折り曲げ部３２ａ、３３ａに雌ねじ部３２ｂ、３３ｂが形成してある。雌ねじ部３２ｂ、３３ｂはピッチＰで並んでいる。
【００２５】
ガイドレール溝板部材３５、３６の合成樹脂は、導電性を得るために炭素が混入してある帝人化成株式会社製のパンライト（商標）であり、抵抗値は１００Ω以下である。ガイドレール溝板部材３５、３６には夫々複数のガイドレール溝３５ａ、３６ａがピッチＰで並んで形成してある。各ガイドレール溝３５ａ、３６ａは長さＬ１を有する。ガイドレール溝板部材３５、３６は樹脂成形部品であり、ガイドレール溝３５ａ、３６ａの寸法精度は良い。
【００２６】
バックボード３７には、電気コネクタ１１０がＹ２方向に突き出て等しいピッチで固定してある。電気コネクタ１１０はガイドレール溝３５ａ、３６ａに対応した位置に配置してある。この電気コネクタ１１０は、前記の電気コネクタ８０が接続されるものであり、図１に拡大して示すように、前記空間８８に対応する大きさの電気絶縁性合成樹脂製の本体部１１１と、この本体部１１１に組み込んである複数の端子部材１１５とよりなる。本体部１１１のＺ１及びＺ２側の面には、前記ガイドレール８６ａ，８７ａに対応するガイド溝１１２，１１３が形成してある。
【００２７】
キャビネット３０は両側をラックの柱に固定されてラックに取り付けてある。また、図７に示すように、電源コードプラグ１０１のフィジカルグランド端子１０２は、シャーシ３１に接続してあり、最終的にはフィジカルグランドＦＧに接続してある。また、直流電源３９はバックボード３７に接続してあり、マイナス端子がシグナルグランドＳＧとなっている。
［メディアコンバータモジュール４０のキャビネット３０への装着状態］
各メディアコンバータモジュール４０は、図１（Ａ），（Ｂ）、図６（Ｄ）、図７、図８に示すように、プリント基板４１の縁４２Ｚ１、４２Ｚ２が夫々ガイドレール溝３５ａ、３６ａに嵌合し、且つ、電気コネクタ８０が電気コネクタ１１０と接続されて、且つ、ノブ付きネジ部材９５，９６が雌ねじ部３２ｂ、３３ｂにねじ込まれて、フロントパネル９０が支持板３２、３３に固定された状態で、装着されている。複数のメディアコンバータモジュール４０がＸ１−Ｘ２方向に並んでおり、フロントパネル９０が隣接して並んで開口３１ａを塞いでいる。
【００２８】
プラグ１０１が商用電源に接続したままである。商用電源がトランス３８と直流電源３９とを介して直流電圧とされ、直流圧がバックボード３７上の電気コネクタ１１０を通して、各メディアコンバータモジュール４０に供給されており、各メディアコンバータモジュール４０はこの直流電圧によって動作される。
［メディアコンバータモジュール４０のキャビネット３０へ装着する過程の動作］
次に、メディアコンバータモジュール４０をキャビネット３０へ装着する過程の動作について説明する。
【００２９】
例えば補修を完了したメディアコンバータモジュール４０は、図６（Ａ）に示すように、作業者がフロントパネル９０側を持って、垂直姿勢とし、電気コネクタ８０を先頭にして、開口３１ａ内に挿入し、図６（Ｂ）に示すように、プリント基板４１の縁４２Ｚ１、４２Ｚ２のＹ１側の端を夫々ガイドレール溝３５ａ、３６ａに嵌合させ、Ｙ１方向に押し込む。メディアコンバータモジュール４０は、図６（Ｃ）及び図８に示すように、縁４２Ｚ１、４２Ｚ２を夫々ガイドレール溝３５ａ、３６ａに案内されつつ、滑って、Ｙ１方向に移動され、図６（Ｄ）及び図７に示す最終位置まで押し込まれて挿入され、電気コネクタ８０が電気コネクタ１１０と接続され、フロントパネル９０がシャーシ３１の前面に当る。最後に、ノブ付きネジ部材９５，９６を締める。
【００３０】
ここで、ガイドレール溝３５ａ、３６ａは合成樹脂製であり、且つ、長さＬ１に亘っているため、プリント基板４１との摩擦が少なく、プリント基板４１はガイドレール溝３５ａ、３６ａ内を円滑に滑り、メディアコンバータモジュール４０を押し込む作業は円滑になされる。また、プリント基板４１の縁４２Ｚ１、４２Ｚ２は比較的長い部分がガイドレール溝３５ａ、３６ａによって支持されるため、メディアコンバータモジュール４０は垂直姿勢に安定に維持され、このことによっても、メディアコンバータモジュール４０を押し込む作業は円滑になされる。
【００３１】
また、以下の（１）、（２）の動作が行われる。
（１）グランドがとられる動作
プリント基板４１の帯状グランドパターン露出部５０Ｚ１、５０Ｚ２、５１Ｚ１、５１Ｚ２は共にプリント基板４１の縁４２Ｙ１まで延びて形成してある。
【００３２】
このため、図６（Ｂ）に示すように、プリント基板４１の縁４２Ｚ１、４２Ｚ２が夫々ガイドレール溝３５ａ、３６ａに嵌合し始めた時点で、帯状グランドパターン露出部５０Ｚ１、５０Ｚ２、５１Ｚ１、５１Ｚ２は、ガイドレール溝板部材３５、３６、支持板３２、３３、シャーシ３１を介して、フィジカルグランドＦＧと電気的に接続され、グランドパターン５０，５１はグランドがとられる。
【００３３】
その後の挿入の過程でも、また、装着された後の状態でも、グランドパターン５０，５１はグランドがとられ続ける。
【００３４】
よって、電気コネクタ８０の電気コネクタ１１０への接続は、メディアコンバータモジュール４０はグランドパターン５０，５１のグランドがとられている状態で、安全に行われる。
【００３５】
ここで、電気コネクタ８０が電気コネクタ１１０と接続される直前では、長さＬ１に亘る部分で、帯状グランドパターン露出部５０Ｚ１、５０Ｚ２、５１Ｚ１、５１Ｚ２とガイドレール溝３５ａ、３６ａとが接触しあっており、グランドパターン５０，５１のグランドは安定にとられている。
（２）電気コネクタ８０が電気コネクタ１１０と接続される動作
電気コネクタ８０は、その腕部８６，８７が電気コネクタ１１０のガイド溝１１２，１１３に嵌合しつつ、電気コネクタ１１０と接続される。電気コネクタ１１０は電気コネクタ８０の空間８８内に収まる。
【００３６】
ここで、電気コネクタ８０は、その本体部８５がＸ，Ｙ，Ｚ方向に約１ｍｍの範囲で変位することが可能であり、腕部８６，８７の先端部がテーパ状に拡がっているため、図９（Ａ）に示すように、電気コネクタ１１０の位置が所定の位置よりＺ１方向にすこしずれていた場合であっても、メディアコンバータモジュール４０の挿入の最終の段階において、図９（Ｂ）に示すように、テーパ部８６ｂ（８７ｂ）によって、本体部８５が電気コネクタ１１０の位置に合うように位置を自動的に補正され、腕部８６，８７がガイド溝１１２，１１３に嵌合を開始し、電気コネクタ８０は図９（Ｃ）に示すように電気コネクタ１１０と正常に嵌合して接続される。
【００３７】
このため、バックボード３７上の電気コネクタ１１０の配置の精度は緩くてもよくなり、キャビネット３０の組立て性は従来に比較して良い。また、カンチレバー部８２、８３が弾性変形することによって、接続状態の電気コネクタ８０、１１０に作用する負荷は小さく、この負荷が作用し続けても不具合は起きない。
【００３８】
なお、上記とは逆に、電気コネクタ８０をバックボード３７に設け、電気コネクタ１１０をメディアコンバータモジュール４０に設けてもよい。この場合には、バックボード３７上の電気コネクタ８０が、近づいてくるメディアコンバータモジュール４０の電気コネクタ１１０を基準に位置を補正され、電気コネクタ１１０が電気コネクタ８０に正常に嵌合して接続される。
［メディアコンバータモジュール４０をキャビネット３０から引き抜く過程の動作］
メディアコンバータモジュール４０がキャビネット３０から完全に引き抜かれるまでは、帯状グランドパターン露出部５０Ｚ１、５０Ｚ２、５１Ｚ１、５１Ｚ２がガイドレール溝３５ａ、３６ａと接触し続け、グランドパターン５０，５１のグランドがとられ続ける。よって、電気コネクタ８０の電気コネクタ１１０に対する接続解除は、グランドパターン５０，５１のグランドがとられている状態で、安全に行われる。
【図面の簡単な説明】
【００３９】
【図１】本発明の実施例１になる集合型メディアコンバータを、メディアコンバータモジュールとキャビネットとを対向させて示す図である。
【図２】メディアコンバータモジュールをＸ２側から見て示す図である。
【図３】集合型メディアコンバータを示す図である。
【図４】図３（Ｂ）中の一部を拡大して示す図である。
【図５】図３（Ａ）中の一部を拡大して示す図である。
【図６】メディアコンバータモジュールのキャビネットへの装着動作を示す図である。
【図７】図６（Ｄ）の一部を拡大して示す図である。
【図８】図７中、VIII-VIII線に沿う拡大断面図である。
【図９】電気コネクタの接続動作を示す図である。
【図１０】従来の集合型メディアコンバータを示す図である。
【符号の説明】
【００４０】
２０  集合型メディアコンバータ
３０  キャビネット
３１  シャーシ
３２，３３  支持板
３５，３６  ガイドレール溝板部材
３５ａ、３６ａ  ガイドレール溝
３７  バックボード
３８  トランス
３９  直流電源
４０  メディアコンバータモジュール
４１  プリント基板
４２Ｚ１、４２Ｚ２  縁
５０、５１  グランドパターン
５０Ｚ１、５０Ｚ２、５１Ｚ１、５１Ｚ２  帯状グランドパターン露出部
７２，７３  半田レジスト膜
７５  光コネクタ付きの光電変換装置
７６  ＬＡＮコネクタ
８０  電気コネクタ
８１  ベース部
８２、８３  カンチレバー部
８５  本体部
８６，８７  腕部
８６ｂ，８７ｂ  テーパ部
８９  コンタクト部材
９０  フロントパネル
９１，９２  ラグ部
９３，９４  ネジ
１０１  電源コードプラグ
１０２  フィジカルグランド端子
１１０  電気コネクタ
ＳＧ  シグナルグランド
ＦＧ  フィジカルグランド
【図１】
2006278559.tif 000003
【図２】
2006278559.tif 000004
【図３】
2006278559.tif 000005
【図４】
2006278559.tif 000006
【図５】
2006278559.tif 000007
【図６】
2006278559.tif 000008
【図７】
2006278559.tif 000009
【図８】
2006278559.tif 000010
【図９】
2006278559.tif 000011
【図１０】
2006278559.tif 000012